(57)【要約】【課題】便座本体への着座スイッチの取り付けの作業性を向上させることができる便座装置を提供する。【解決手段】便座装置１は、着座スイッチ５０が収容保持されるスイッチ収容部材３０を有し、便座本体１０の裏板部１３に、着座スイッチ５０を収容保持したスイッチ収容部材３０が便座本体１０の裏側から取り付け収納される収納凹所２０が便座本体１０の内部１１と連通するように形成されている。【選択図】図１
2020048771.tif 000002
【特許請求の範囲】
【請求項１】
便器に回動自在に取り付けられる便座本体と、前記便座本体の内部に収容配線された導電線と接続され、該便器本体の裏板部に取り付けられる着座スイッチとを備えた便座装置であって、
前記着座スイッチが収容保持されるスイッチ収容部材を有し、
前記便座本体の裏板部に、前記着座スイッチを収容保持した前記スイッチ収容部材が前記便座本体の裏側から取り付け収納される収納凹所が、前記便座本体の内部と連通するように形成されていることを特徴とする便座装置。
【請求項２】
請求項１において、
前記着座スイッチは、荷重により変位を検知する検知部を有したスイッチ本体と、前記スイッチ収容部材の収容空間に収容された前記スイッチ本体を覆い、前記検知部に近接するようにして該収容空間の開口を塞ぐように嵌め込まれる変位板とを備えており、
前記スイッチ収容部材は、前記収納凹所に取り付け収納されていない状態では、前記変位板が嵌めこまれることにより外側に撓み変形する一方、前記収納凹所に取り付け収納された状態では、前記撓み変形が制限され、前記変位板を圧接により保持することを特徴とする便座装置。
【請求項３】
請求項２において、
前記スイッチ収容部材は、前記収容空間を囲む周壁部を有し、該周壁部の起立方向を前記収容空間の深さ方向に対応させて前記収納凹所に取り付け収納される構成とされており、
前記周壁部は前記起立方向に延びるスリットにより分断されており、前記スイッチ収容部材が前記収納凹所に取り付け収納されていない状態では、該スリットが拡開するように前記周壁部が外側へと撓み変形する一方、前記スイッチ収容部材が前記収納凹所に取り付け収納された状態では、前記スリットの拡開が規制されて前記撓み変形が制限されることを特徴とする便座装置。
【請求項４】
請求項３において、
前記周壁部の内側に、前記変位板の相対向する周縁部を係止する突起部が配設されており、
前記変位板は、前記周縁部が前記突起部を前記収容空間側に乗り越えて前記スイッチ収容部材に保持されることを特徴とする便座装置。
【請求項５】
請求項４において、
前記突起部は前記スリット寄りの相対向する位置に設けられており、
前記スイッチ収容部材の周壁部の前記スリットと対向する反対側の位置には、前記変位板の前記周縁部を係止する係止部が配設されていることを特徴とする便座装置。
【請求項６】
請求項３〜５のいずれか１項において、
前記周壁部の内縁の平面視形状が略長方形とされ、前記スリットが該長方形の一方の短辺に設けられていることを特徴とする便座装置。
【発明の詳細な説明】
【技術分野】
【０００１】
本発明は、洋式便器の便器本体に取り付けられる便座装置に関する。
【背景技術】
【０００２】
従来より、便座本体の裏側に着座スイッチを設けた便座装置が知られている（例えば、特許文献１参照）。
【０００３】
この種の便座装置は便座本体の内部に導電線が配線されており、その導電線に接続された着座スイッチが、便座本体の裏板部に形成された、便座本体の内部空間に連通する収納凹所に収納されるスイッチ配設構造とされている。
【０００４】
便座装置の製造工程における着座スイッチの取り付け手順は、つぎのような手順とされている。
まず、着座スイッチの収納凹所を備える裏板部に導電線を仮置きする。このとき、導電線の一方の端部は便座装置のヒンジ部から引き出し、他方の端部は着座スイッチの収納凹所の近傍になるよう仮置きしておく。
この状態で裏板部と表板部とを溶着する。
つぎに、裏板部に設けられた着座スイッチの収納凹所から、内部に収納された導電線を引き出す。
そして、着座スイッチに便座本体の内部より取り出した導電線を接続し、つぎにその着座スイッチを収納凹所に収納する。
【先行技術文献】
【特許文献】
【０００５】
【特許文献１】特開２０１２−５０６号公報
【発明の概要】
【発明が解決しようとする課題】
【０００６】
しかしながら、従来のものでは、裏板部に設けた収納凹所は着座スイッチをずれなく固定できるような内部構造となっており、その開口面積は、着座スイッチの横断面積とほぼ同じ大きさであり小さいため、作業はしにくかった。
【０００７】
より具体的には、収納凹所の開口が小さいため、この開口から便座本体の内部に収納された導電線を取り出すことや、配線接続された状態の着座スイッチを収納凹所に収納することは容易な作業ではなかった。また、着座スイッチを適正に動作させる変位板を、着座スイッチを覆うように取り付ける必要があるが、この作業は着座スイッチが収納凹所に収納された状態でしなければならず、よってこの取り付け作業についても作業性はよくなかった。
【０００８】
本発明は、このような事情を考慮して提案されたもので、その目的は、便座本体への着座スイッチの取り付け作業性をよくすることができる便座装置を提供することにある。
【課題を解決するための手段】
【０００９】
上記目的を達成するために、本発明の便座装置は、便器に回動自在に取り付けられる便座本体と、該便座本体の内部に収容配線された導電線と接続され、前記便器本体の裏板部に取り付けられる着座スイッチとを備えた便座装置であって、前記着座スイッチが収容保持されるスイッチ収容部材を有し、前記便座本体の裏板部に、前記着座スイッチを収容保持した前記スイッチ収容部材が前記便座本体の裏側から取り付け収納される収納凹所が、前記便座本体の内部と連通するように形成されていることを特徴とする。
【発明の効果】
【００１０】
本発明の便座装置は上述した構成とされているため、便座本体への着座スイッチの取り付け作業性をよくすることができる。
【図面の簡単な説明】
【００１１】
【図１】本発明の一実施形態に係る便座装置の説明図である。（ａ）は便座本体の裏面側の平面図、（ｂ）は（ａ）のＡ部の内部構造を示す部分拡大斜視図である。
【図２】図１（ａ）のＢ−Ｂ線に対応した便座本体の部分拡大模式断面図である。
【図３】スイッチ収容部材の斜視図である。
【図４】スイッチ収容部材の平面図である。
【図５】着座スイッチを収容保持したスイッチ収容部材（変位板の取り付け前）の斜視図である。
【図６】（ａ）（ｂ）は、着座スイッチを収容保持したスイッチ収容部材に対する変位板の取り付け手順（１／２）を示す斜視図である。
【図７】（ａ）（ｂ）は、着座スイッチを収容保持したスイッチ収容部材に対する変位板の取り付け手順（２／２）を示す斜視図である。
【発明を実施するための形態】
【００１２】
以下に、本発明の実施の形態について、添付図面にもとづいて説明する。まず便座装置１の基本構成について説明する。
【００１３】
本便座装置１は、便器（不図示）に回動自在に取り付けられる便座本体１０と、着座スイッチ５０と、着座スイッチ５０が収容保持されるスイッチ収容部材３０とを備えている。着座スイッチ５０は、便座本体１０の内部１１に収容配線された導電線１２と接続され、便座本体１０の裏板部１３に取り付けられるものである。便座本体１０の裏板部１３には、着座スイッチ５０を収容保持したスイッチ収容部材３０が便座本体１０の裏側から取り付け収納される収納凹所２０が、便座本体１０の内部１１と連通するように形成されている。
【００１４】
ついで、便座装置１の詳細について説明する。なお、以下では便座本体１０を裏向けた状態を基準として上下方向を定めて説明する。
【００１５】
本実施形態の便座装置１は、図１（ａ）の便座本体１０の裏面側の平面図に示すように、便座本体１０の裏面前側の２カ所に、着座スイッチ５０を内装したスイッチ部Ｓを備えている。これらのスイッチ部Ｓは、すべて略同一の内部構造であり、裏板部１３に設けた収納凹所２０に着座スイッチ５０が内装され、その収納凹所２０の開口を塞ぐように押圧操作部材７０が取り付けられた構成とされている。着座スイッチ５０は、上述したようにスイッチ収容部材３０に収容された状態で、収納凹所２０に収納されている。
【００１６】
図１（ｂ）は、押圧操作部材７０を外した状態の図１（ａ）のＡ部の部分拡大斜視図である。図２は、図１（ａ）のＢ−Ｂ線の位置に対応する、裏板部１３の収納凹所２０に対する押圧操作部材７０の取り付け状態を示す部分拡大模式断面図である。
【００１７】
収納凹所２０は、図１（ｂ）および図２に示すように、裏板部１３の開口内縁部２１は、下方に突出して形成された平面視略楕円柱状の収納空間であり、図２に示すように、下部および側部の一部が開口して、便座本体１０の内部１１に連通している。開口内縁部２１は、下方側において段差部２２を有し、さらにその下方には上部よりもすぼんだ形状の挟持部２３を有している。また、収納凹所２０の上面側の開口縁には開口の周囲部よりも段落ちした押圧操作部材用載置部２４が形成されている。
【００１８】
スイッチ収容部材３０は、図１（ａ）、図３および図４に示すように、収納凹所２０の平面形状に略合致した長楕円形状とされている。スイッチ収容部材３０の外側面の上下方向の中央には周方向に沿って複数に分離した鍔片４０が形成されている。スイッチ収容部材３０は、鍔片４０が段差部２２の上面に載置され下部（足部４１）が挟持部２３に挟まれた状態で収納凹所２０に収納されるようになっている。また、スイッチ収容部材３０が収納凹所２０に収納された状態では、スイッチ収容部材３０と、収納凹所２０の開口内縁部２１との間に略全周にわたる隙間空間２６が形成される。
【００１９】
このように、収納凹所２０は、着座スイッチ５０がスイッチ収容部材３０で覆われた状態で収納されるものであるから、その開口面積は着座スイッチ５０の平面寸法よりも十分に大きなものとなる（図１（ｂ）参照）。
【００２０】
一方、押圧操作部材７０は、ゴムなどの弾性材により形成され、長楕円状の操作部７１と、操作部７１の下側で略全周に下方に周壁状に延びた脚部７３と、操作部７１の外側に延びてなる鍔部７４とを備えている。
【００２１】
操作部７１は、下向に押しつぶされるように弾性的に変形可能とされ、図２に示すように中央部が上方に突出している一方、中央部の下面の中心部には着座スイッチ５０を動作させるために下方に棒状に突出した押圧部７２を備えている。
【００２２】
脚部７３は、収納凹所２０の開口内縁部２１の内面と、スイッチ収容部材３０の外面との間にできる隙間空間２６に嵌め入れられる垂下壁とされる。鍔部７４は、収納凹所２０の押圧操作部材用載置部２４に載置される突出片とされる。
【００２３】
図１（ｂ）および図２に示すように、スイッチ収容部材３０は、収納凹所２０にスイッチ収容部材３０の鍔片４０が開口内縁部２１の段差部２２に載せ置かれるように収納され、押圧操作部材７０は、その脚部７３が隙間空間２６に嵌めこまれて取り付けられる。押圧操作部材７０を取り付けることでで、スイッチ収容部材３０の鍔片４０が脚部７３と段差部２２との間に挟まれるようにすれば、スイッチ収容部材３０と、押圧操作部材７０と、収納凹所２０（裏板部１３）とは強固な固定関係が形成される。
【００２４】
押圧操作部材７０の操作部７１が上方より押圧されると、操作部７１が変形することで下方に移動する押圧部７２が変位板６０を押し下げ、着座スイッチ５０のスイッチ本体５１に設けた検知部５２を作動させる。便器の使用状態における便座は便座本体１０の裏板部１３が下方を向き、便器本体（不図示）のリム上面（不図示）に押圧操作部材７０の操作部７１の上面が接触しており、利用者の着座により押圧部７２が押し上げ動作をするものである。つまり、リム上面からの押圧力により変位板６０が押し上げられることで着座スイッチ５０が作動する。
【００２５】
着座スイッチ５０は、荷重により変位を検知する検知部５２を有したスイッチ本体５１と、変位板６０とを備えている。変位板６０は、スイッチ収容部材３０の収容空間３１に収容されたスイッチ本体５１を覆い、検知部５２に近接するようにして収容空間３１の開口を塞ぐように嵌め込まれるばね板とされる。
【００２６】
また、スイッチ本体５１は、下部に配線接続部５３を有しており、スイッチ収容部材３０に収容された状態では、スイッチ収容部材３０の下部開口２５を介して、便座本体１０の内部１１に収容配線された導電線１２と接続できるようになっている。図２に示すように、下部開口２５は、導電線１２が横または下のいずれの方向からも接続できるような開口とすればよい。
【００２７】
つぎに、スイッチ収容部材３０および着座スイッチ５０について、図３〜図７を参照しながら説明する。
【００２８】
スイッチ収容部材３０は、平面視で長楕円形状とされ、着座スイッチ５０のスイッチ本体５１を収容する収容空間３１を有し、この収容空間３１を囲むように周壁部３３が形成されている。周壁部３３は、その起立方向に延びるスリット３２（上下をともに開口した縦開口）により分断されている。このスリット３２はスイッチ収容部材３０の長手方向の一端側に形成されている。ようするに、このスリット３２により、スリット３２が拡開するように分断された周壁部３３の両側部が長手方向の他端側を支点として外側へと撓み変形することが可能とされている。
【００２９】
また、周壁部３３は肉抜きされた二重壁とされ、周壁部３３に囲まれた内部には、周壁部３３の内縁にて外形が定められた平面視略長方形の有底の収容空間３１が形成されている。この収容空間３１には、図３および図４に示すように、スイッチ本体５１（図４に２点鎖線で図示）の位置決め固定をするための、相対向する短手方向固定部３７と、長手方向固定部３８と、上方よりスイッチ本体５１を押さえる爪片部３９とを備えている。
【００３０】
また、スイッチ収容部材３０の周壁部３３の内側（内壁面の上部）には、変位板６０の相対向する２辺の長手辺縁部６３ａ（周縁部６３）を係止する突起部３４が配設されている。さらに、周壁部３３のスリット３２と対向する位置（短手辺側）には、変位板６０の短手辺縁部６３ｂ（周縁部６３）を係止する係止部３５が配設されている。図５に示すように、突起部３４、係止部３５の上面には、収容空間３１側へ下り傾斜したガイド面３４ａ、３５ａが形成されている。
【００３１】
また、周壁部３３に設けた突起部３４、係止部３５よりも下側には収容空間３１側に突出した凸部３６が形成されている。突起部３４および係止部３５のそれぞれは、凸部３６との間隙に変位板６０の周縁部６３を嵌め入れることで変位板６０を保持、係止するようになっている。
【００３２】
収容空間３１の下方に設けた底板部４２は、スリット３２側（長手方向の一端側）の一部が開口し、その開口４３とスリット３２が連通し、それらの連続開口４４が、上述した収納凹所２０の下部開口２５を介して、便座本体１０の内部１１に連通している。また、底板部４２のスリット３２側の端縁には凹開口４２ａが形成されており、スイッチ本体５１の下部の一部が開口４３と凹開口４２ａとより下方に突出するように配される。
【００３３】
また、上述した鍔片４０は、周壁部３３の外面に４箇所に分離して設けてある。この鍔片４０よりも下方には、分断された周壁部３３に対応した足部４１（図４、図５参照）が形成されている。したがって、足部４１は周壁部３３と一体となって撓み変形する。
【００３４】
上述したように、スイッチ収容部材３０が収納凹所２０に正しく収納された状態では、足部４１は両外側より挟持部２３（図４参照）で挟まれた状態となる。つまり、スイッチ収容部材３０が収納状態にあるときは、挟持部２３により周壁部３３および足部４１の外側への撓み変形が制限される。
【００３５】
ついで、着座スイッチ５０（スイッチ本体５１および変位板６０）のスイッチ収容部材３０に対する取り付け手順について、図５〜図７を参照しながら説明する。
【００３６】
まず裏板部１３に導電線１２を仮置きする。このとき、導電線１２の一方の端部を便座装置１のヒンジ部から引き出し、他方の端部を収納凹所２０の近傍に仮置きしておく。
この状態で裏板部１３と表板部とを溶着する。
つぎに、裏板部１３に設けられた収納凹所２０から、内部に収納された導電線１２を引き出す。
そして、便座本体１０の内部１１より引き出した導電線１２をスイッチ本体５１の配線接続部５３に半田付けなどで接続させてから、そのスイッチ本体５１をスイッチ収容部材３０の収容空間３１に収容する（図５参照）。
【００３７】
収納凹所２０の開口面積はスイッチ本体５１の横断面積とくらべて十分に大きいため、導電線１２の便座本体１０の内部１１からの引き出し、および、導電線１２が接続されたスイッチ本体５１の内部１１への収容作業を容易に行うことができる。なお、本実施形態のものは、スリット３２と底側の開口４３とが連通して大きな連続開口４４が形成されているため、導電線１２を接続したスイッチ本体５１を収容空間３１へ収容する作業は特にしやすい。
【００３８】
つぎに変位板６０の取り付け手順について説明する。変位板６０は、下方に弾性的に変位することでスイッチ本体５１の検知部５２に接触する作動ばね板６１（図６参照）と、その作動ばね板６１の上面に重ねられる支持ばね板６２（図７参照）とより構成されている。いずれのばね板も、収容空間３１の開口の平面視形状に合致した略長方形の薄板材よりなる。
【００３９】
作動ばね板６１は、その中央に、幅寸法を小さくし長手方向に長く延ばして撓みやすくした作動片６１ａが切り込みにて形成され、その周囲には作動片６１ａを保持する保持片６１ｂが形成されている。また、支持ばね板６２には切り込みなどの加工はなされていない。
【００４０】
このような変位板６０は、図６、図７に示すように、作動ばね板６１（図６参照）、支持ばね板６２（図７参照）の順で１枚ずつ取り付けるようにすればよい。もちろん、２枚重ねて取り付けてもよい。
【００４１】
作動ばね板６１は、作動ばね板６１の支点側の周縁部６３（短手辺縁部６３ｂ）が周壁部３３の内壁面に設けた係止部３５と凸部３６との間隙に挿入され、作業者により一時的に傾斜状に保持される。そして、作動ばね板６１の傾斜した上部が下方に押し下げられることで、周縁部６３（両長手辺縁部６３ａ）が突起部３４の下方（収容空間３１側）へと乗り越え、作動ばね板６１は突起部３４、凸部３６間に嵌め入れられる。こうして、作動ばね板６１は収容空間３１の適切な位置に配設、保持される。
【００４２】
支持ばね板６２も同様に、一方の周縁部６３（短手辺縁部６３ｂ）が係止部３５と、凸部３６に接触した作動ばね板６１との間隙に装着され、作業者により一時的に傾斜状に保持される。そして、支持ばね板６２の傾斜した上部が下方に押し下げられることで、周縁部６３（両長手辺縁部６３ａ）が突起部３４を乗り越え突起部３４、作動ばね板６１間に嵌め入れられる。こうして、支持ばね板６２は収容空間３１の適切な位置に配設、保持される。
【００４３】
これらの変位板６０は、周壁部３３がスリット３２により分断されているため、無理なく装着され得る。すなわち、変位板６０が嵌めこまれる際に、変位板６０の周縁部６３は突起部３４を収容空間３１側へ乗り越え、これに伴って分断された周壁部３３の両側部は離反するように外側へと撓み変形する。そして、その撓み変形と、突起部３４のガイド面３４ａによる作用とがあいまって、周縁部６３は突起部３４を容易に乗り越えることができる。このように、スイッチ本体５１と同様、変位板６０についても、スイッチ収容部材３０に簡単に取り付けることができる。
【００４４】
また、本実施形態では、周壁部３３の内縁の平面視形状が略長方形とされ、スリット３２が長方形の一方の短辺に設けられているため、長辺側の周壁部３３の両側部は撓み変形しやすく、変位板６０の取り付けはよりしやすくなる。
【００４５】
また、本実施形態のもののように、突起部３４はスリット３２寄りの位置に設けられ、係止部３５はスリット３２と対向する位置に設けられていることが、変位板６０をバランスよく係止するうえで望ましい。また、突起部３４、係止部３５をこのように配することで、図５、図６に示すように、係止部３５側を支点とした回動動作で変位板６０を容易に取り付けることができる。なお、突起部３４や係止部３５の形成位置や数は本実施形態のものには限られない。突起部３４と係止部３５とは合計で２つ以上あればよく、対辺に１つずつ設けたものであってもよい。
【００４６】
こうして、スイッチ収容部材３０には、導電線１２が接続されたスイッチ本体５１と、変位板６０とが収容空間３１に適切に取り付けられる。この状態のスイッチ収容部材３０は、そのままの状態で便座本体１０の収納凹所２０に収納することができる。
【００４７】
このように本便座装置１では、着座スイッチ５０（スイッチ本体５１）を直接、収納凹所２０に収納する必要がなく、スイッチ収容部材３０に取り付けた状態で、その部材に合致した大きな開口の収納凹所２０に収納することができる。したがって、従来にくらべ作業性は格段によくなる。
【００４８】
また、スイッチ収容部材３０に設けた、スリット３２を含む連続開口４４と、収納凹所２０に設けた便座本体１０の内部１１に通じる下部開口２５とが連通しているため、接続された導電線１２を内部に戻すことも容易にできる。
【００４９】
また、スイッチ収容部材３０が収納凹所２０に収納されると、足部４１が収納凹所２０に形成された挟持部２３に挟まれて、スリット３２の拡開が規制されて周壁部３３の外側への撓み変形が制限される。したがって、スイッチ収容部材３０が収納凹所２０に取り付け収納された後に、周壁部３３の外側への拡開変形により変位板６０が外れることは回避される。
【００５０】
なお、本実施形態ではスイッチ収容部材３０にスリット３２を設けることで変位板６０を装着しやすくしたが、このような変形構成のものには限られない。ようするに、収納凹所２０に収納されていない状態では、変位板６０が嵌めこまれることにより外側に撓み変形し、収納凹所２０に取り付け収納された状態では、撓み変形が制限され、変位板６０を圧接により保持するものであれば、他の構成であってもよい。例えば、ゴムのような弾性体を用いることで変位板６０を装着しやすい構造を構成してもよい。
【符号の説明】
【００５１】
１          便座装置
１０        便座本体
１１        内部
１２        導電線
１３        裏板部
２０        収納凹所
３０        スイッチ収容部材
３１        収容空間
３２        スリット
３３        周壁部
３４        突起部
３５        係止部
５０        着座スイッチ
５２        検知部
６０        変位板
６３        周縁部
【図１】
2020048771.tif 000003
【図２】
2020048771.tif 000004
【図３】
2020048771.tif 000005
【図４】
2020048771.tif 000006
【図５】
2020048771.tif 000007
【図６】
2020048771.tif 000008
【図７】
2020048771.tif 000009